(57)【要約】【課題】ロックの解除方法の異なるパチンコ台間機を遊技場の一部に設置した場合でも、遊技場における設置場所の制約を解消できる保管庫を提供する。【解決手段】保管庫（１）は、保管庫本体（２）と扉部（３）とを備え、複数の台間機（Ｄ）を管理装置とデータ通信可能に保管する。保管庫（１）は、メダル台間機（Ｄｍ）とパチンコ台間機（Ｄｐ）とを保管可能である。保管庫（１）は、パチンコ台間機（Ｄｐ）のロック解除機構として、パチンコ台間機（Ｄｐ）と係合しているロック部を下方に変位させてロックを解除するロック解除レバー（６）と、前記ロック部を上方に変位させてロックを解除するロック解除ワイヤー（７）とを備える。【選択図】図５
2018130338.tif 000002
【特許請求の範囲】
【請求項１】
遊技機に並設される台間機の予備を複数台収容する保管庫本体と該保管庫本体の開口を覆う扉部とを備え、前記複数の台間機を管理装置とデータ通信可能に保管する台間機の保管庫であって、
庫内に設けられた位置決め部に背面側の下部を当接させて保管されるパチスロ台間機と、
庫内に固定されたホルダ部に抜き差し自在に装着され、ロック部が係合されることで前記ホルダ部にロックされた状態で保管されるパチンコ台間機と、を保管可能であり、
前記ロックを解除するロック解除機構として、
前記ロック部を下方に変位させてロックを解除する第１解除機構と、
前記ロック部を上方に変位させてロックを解除する第２解除機構と、
を備えることを特徴とする台間機の保管庫。
【請求項２】
前記保管庫本体における前記複数の台間機を載置する載置面に、前記パチンコ台間機の下部を嵌合させることで、前記パチンコ台間機を所定の位置に位置決めする位置決め用凹部が形成されていることを特徴とする請求項１に記載の台間機の保管庫。
【請求項３】
前記第１解除機構および前記第２解除機構が前記保管庫本体に対して着脱自在であることを特徴とする請求項１又は２に記載の台間機の保管庫。
【請求項４】
前記ロック解除機構は、前記ロック部を変位させるロック解除部材を前記保管庫本体の内部に取り付けるための固定用部品を含み、該固定用部品が前記保管庫本体に対して着脱自在であることを特徴とする請求項３に記載の台間機の保管庫。
【請求項５】
前記扉部に、前記保管庫本体に収容されている全ての台間機の視認を可能にする窓部が形成されていることを特徴とする請求項１〜４の何れか１項に記載の台間機の保管庫。
【発明の詳細な説明】
【技術分野】
【０００１】
本発明は、遊技機に並設される台間機の予備を保管しておく台間機の保管庫に関する。
【背景技術】
【０００２】
近年、パチンコ台やパチスロ台等の遊技機が設置された遊技場において、遊技機に並設される台間機と呼ばれる装置が広く普及している。台間機は、プリペイドカード等の遊技用記録媒体を受け付け、受け付けた遊技用記録媒体の記録情報に基づいてパチンコ球やメダルを貸し出す装置である。台間機には、パチンコ球を貸し出すパチンコ台間機、メダルを貸し出すメダル台間機（パチスロ台間機）があり、パチンコ台間機においてはさらに、機内に紙幣を収納する紙幣収納タイプや紙幣を搬送する紙幣搬送タイプなどがあり、多種類に及ぶ。
【０００３】
遊技場においては、台間機の不具合によって遊技ができなくなることの無いように、設置している各種類の台間機の予備を準備している。予備用の台間機は、専用の保管庫にて保管される。保管庫は、予備用の台間機を遊技場の管理装置とデータ通信可能に保管する。予備用の台間機をこのように保管することで、遊技島に設置されている台間機と同じ情報（不正防止のための情報）を持たせることができ、不正使用を防止するシステムの枠組みの中で、遊技島に設置された台間機との交換が可能となる（特許文献１）。
【０００４】
保管庫は、複数の台間機を収容可能に構成されている。遊技場においては、１台の保管庫に、紙幣収納タイプや紙幣搬送タイプのパチンコ台間機、メダル台間機など、多種類の台間機を収容させている。
【０００５】
メダル台間機は、庫内に設けられた位置決め部に背面側の下部を当接させて保管される。一方、パチンコ台間機は、庫内に固定されたホルダ部に装着され、ロック部が係合されることでホルダ部にロックされた状態で保管される。遊技島に設置したパチンコ台間機に不具合が発生した場合、遊技島に固定されたホルダ部からパチンコ台間機のロックを解除して抜き出し、保管庫内の予備用のパチンコ台間機と交換する。
【０００６】
パチンコ台間機におけるロックの解除方法には、パチンコ台を開けて解除する方法と、パチンコ台を開けることなく解除する方法とがある。ロックレバー等のロック部を解除時に押し下げるタイプは、パチンコ台を開けての解除となる。一方、ロック部を解除時に引き上げるタイプのロック機構は、ロック部に取り付けたワイヤーを引っ張ることで、パチンコ台を開けることなく解除できる（特許文献２）。保管庫には、このようなロックの解除方法に合わせたロック解除機構が設けられている。
【先行技術文献】
【特許文献】
【０００７】
【特許文献１】特開２００２−１８０８３号公報
【特許文献２】特開平８−１４１２０６号公報
【発明の概要】
【発明が解決しようとする課題】
【０００８】
遊技場においては、パチンコ台間機を設置するにあたり、通常はロックの解除方法が同じものを統一して設置している。しかしながら、セキュリティ上の必要性から、ロックの解除方法の異なるパチンコ台間機を一部に設置する場合がある。例えば、プリペイドカードの精算販売機の近くなど、遊技島の内部を遊技者に視認させたくない場所だけに、パチンコ台を開けることなく解除できるパチンコ台間機を設置するといった場合である。
【０００９】
ところが、従来の保管庫は、ロック解除機構が上述の２通りのロック解除方法の何れかにしか対応していない。そのため、紙幣収納タイプや紙幣搬送タイプのパチンコ台間機、およびメダル台間機などを混在して収容することはできても、ロックの解除方法が異なるパチンコ台間機を混在して収容することはできなかった。
【００１０】
したがって、ロックの解除方法が異なるパチンコ台間機を一部に設置した場合、遊技場は、２通りのロック解除方法に合わせて２台の保管庫を設置する必要があり、設置場所の制約を受けるといった問題があった。
【００１１】
本発明の一態様は、上記課題に鑑みなされたもので、ロックの解除方法の異なるパチンコ台間機を遊技場の一部に設置した場合でも、遊技場における設置場所の制約を解消できる台間機の保管庫を提供することを目的とする。
【課題を解決するための手段】
【００１２】
本発明の一態様に係る台間機の保管庫は、上記の課題を解決するために、遊技機に並設される台間機の予備を複数台収容する保管庫本体と該保管庫本体の開口を覆う扉部とを備え、前記複数の台間機を管理装置とデータ通信可能に保管する保管庫であって、庫内に設けられた位置決め部に背面側の下部を当接させて保管されるパチスロ台間機と、庫内に固定されたホルダ部に抜き差し自在に装着され、ロック部が係合されることで前記ホルダ部にロックされた状態で保管されるパチンコ台間機と、を保管可能であり、前記ロックを解除するロック解除機構として、前記ロック部を下方に変位させてロックを解除する第１解除機構と、前記ロック部を上方に変位させてロックを解除する第２解除機構と、を備えることを特徴としている。
【００１３】
上記構成によれば、ロック部を下方に変位させてロックを解除する第１解除機構と、ロック部を上方に変位させてロックを解除する第２解除機構との両方が備えられているので、パチンコ台を開けてロックを解除するパチンコ台間機とパチンコ台を開けずにロックを解除できるパチンコ台間機との両方を混在して収容することができる。
【００１４】
これにより、ロックの解除方法が異なるパチンコ台間機を一部に設置した遊技場においても、２通りのロック解除方法に合わせて２台の保管庫を設置する必要がなくなり、設置場所の制約を解消することができる。
【００１５】
本発明の別の一態様に係る台間機の保管庫は、さらに、前記保管庫本体における前記複数の台間機を載置する載置面に、前記パチンコ台間機の下部を嵌合させることで、前記パチンコ台間機を所定の位置に位置決めする位置決め用凹部が形成されている構成である。
【００１６】
上記構成によれば、パチンコ台間機を収容する際、位置決め用凹部に該パチンコ台間機の下部を嵌め込むといった物理的な当接にて、パチンコ台間機を所定の位置に確実に案内して設置することができる。
【００１７】
本発明の別の一態様に係る台間機の保管庫は、さらに、前記第１解除機構および前記第２解除機構が前記保管庫本体に対して着脱自在である構成である。
【００１８】
上記構成によれば、収容する台間機の構成と台数に応じて、第１解除機構および第２解除機構を適宜組み付けることが可能となるので、各遊技場における台間機の構成や設置台数比率の違いおよびこれらの変化に簡単に対応させることができる。
【００１９】
本発明の別の一態様に係る台間機の保管庫は、さらに、前記ロック解除機構は、前記ロック部を変位させるロック解除部材を前記保管庫本体の内部に取り付けるための固定用部品を含み、該固定用部品が前記保管庫本体に対して着脱自在である構成である。
【００２０】
上記構成によれば、保管庫本体の内部にロック解除部材を取り付けるための固定用部品が着脱自在であるので、ロック解除部材だけでなく、固定用部品と収容される台間機との干渉をも避けることができ、庫内をより一層有効に利用することができる。
【００２１】
本発明の別の一態様に係る台間機の保管庫は、さらに、前記扉部に、前記保管庫本体に収容されている全ての台間機の視認を可能にする窓部が形成されている構成である。
【００２２】
上記構成によれば、収容されている全ての台間機を窓部より視認できるので、多種の台間機を収容し、それらが正常に動作しているかどうかを、扉部を開けることなく外部から容易に確認することができる。
【発明の効果】
【００２３】
本発明の一態様によれば、ロックの解除方法の異なるパチンコ台間機を遊技場の一部に設置した場合でも、遊技場における保管庫の設置場所の制約を解消できるという効果を奏する。
【図面の簡単な説明】
【００２４】
【図１】プリペイドシステムの構成図である。
【図２】ホルダ部から引き出された状態のパチンコ台間機の斜視図である。
【図３】保管庫の外観を示す斜視図である。
【図４】保管庫の扉部が解放された状態を示す斜視図である。
【図５】保管庫における、台間機の収容例を示す斜視図である。
【図６】図５に示した収容例における保管庫の庫内の状態を、保管庫本体の筐体や扉部を除いて示す斜視図である。
【図７】保管庫における、ロック解除レバーを用いたロック解除を説明する断面図である。
【図８】保管庫における、ロック解除ワイヤーを用いたロック解除を説明する断面図である。
【図９】保管庫の上部固定部の構成を示す斜視図である。
【図１０】保管庫における、上部固定部へのロック解除レバーの取り付けを示す分解斜視図である。
【図１１】保管庫における、上部固定部へのロック解除ワイヤーの取り付けを示す分解斜視図である。
【図１２】保管庫における、上部固定部に取り付けられたロック解除ワイヤーの要部を示す斜視図である。
【図１３】保管庫の下部固定板の構成を示す斜視図である。
【図１４】図１３に示す下部固定板の平面図である。
【図１５】図１３に示す下部固定板の分解斜視図である。
【図１６】保管庫の扉部の構成を示す斜視図である。
【発明を実施するための形態】
【００２５】
以下、本発明の実施の形態について、詳細に説明する。
【００２６】
（プリペイドシステムの構成）
図１は、プリペイドシステム１００の構成図である。図１に示すように、プリペイドシステム１００は、管理装置１０１と、遊技島に設置された複数の台間機Ｄと、予備用の台間機Ｄを保管する保管庫１０２と、プリペイドカード等の遊技用記録媒体の精算・販売を行う精算販売機１０３とを含んでいる。台間機Ｄは遊技島に設置された遊技機であるパチンコ台やスロット台に並設されている。
【００２７】
管理装置１０１から、遊技島に設置された複数の台間機Ｄ、保管庫１０２内の予備用の台間機Ｄ、および精算販売機１０３に対し、「当店当日データ」が送られる。遊技島に設置された複数の台間機Ｄおよび精算販売機１０３は、受け取った「当店当日データ」を用いて、「当店当日データ」を有しない遊技用記録媒体の不正使用を防止する。「当店当日データ」は、保管庫１０２内の予備用の台間機Ｄにも送られ、予備用の各台間機Ｄも「当店当日データ」を有している。これにより、遊技島に設置された台間機Ｄと交換されて遊技島に設置された場合でも、予備用の台間機Ｄは、「当店当日データ」を用いて不正使用を防止できる。
【００２８】
台間機Ｄは、市場のニーズやセキュリティ意識の変化により、機種が追加される。例えば、パチンコ台用のパチンコ台間機Ｄでは、各台計数機能の追加や、フレーム部とのロック解除を、パチンコ台を開けて行うか開けずに行うかの違い等により、機種が増える、第一世代では３機種であった台間機Ｄの種類が、第二世代では６機種となり、第三世代では９機種となっている。機種数は今後も増え、遊技島の構成により多種の台間機Ｄが設置される遊技場においては、保管庫１０２に対し、多種類の台間機Ｄを収容可能な機能が求められる。
【００２９】
本実施の形態に保管庫１は、このような要求に応えるもので、従来の保管庫１０２では対応できなかった、パチンコ台間機Ｄにおけるロックの解除方法が異なる機種の混在収容を可能するものである。
【００３０】
以下、パチンコ台用とパチスロ台用とで台間機を区別する必要があり両者各々に対して専用とする場合に、パチンコ台用の台間機を「パチンコ台間機（参照符号Ｄｐ）」と称し、パチスロ台用の台間機を「メダル台間機（参照符号Ｄｍ）」と称する。両者を区別する必要が無く共用の場合は、「台間機（参照符号Ｄ）」と総称する。
【００３１】
図２は、ホルダ部５０から引き出された状態のパチンコ台間機Ｄｐの斜視図である。図２に示すように、パチンコ台間機Ｄｐは、ホルダ部５０に対して前方（正面）から抜き差し自在に装着される。
【００３２】
パチンコ台間機Ｄｐは、本体部５５にビルバリ、制御基板、通信機器等が組み込まれてユニット化されている。ホルダ部５０は、上下方向に延びる縦フレーム５１と、該縦フレーム５１の上下の端から前方に水平に延びている上側ガイド枠５２および下側ガイド枠５３とを備え、これら上下のガイド枠５２、５３によってパチンコ台間機Ｄｐの抜き差しをガイドする。
【００３３】
ホルダ部５０にはロック機構５７が設けられており、パチンコ台間機Ｄｐは、背面側においてホルダ部５０にロックされる。パチンコ台間機Ｄｐは、ホルダ部５０に差し込まれると、ロック機構５７によってホルダ部５０に自動的に係合され、ロックされる。具体的には、ホルダ部５０に設けられたロック部であるロックレバー５８の係合部５８ａが、パチンコ台間機Ｄｐの本体部５５に設けられた係合穴５５ａに係合することでロックされる。
【００３４】
図２の例は、ロックレバー５８の係合部５８ａが下を向いている。このようなロック機構５７では、ロックレバー５８を上方に変位させることで、係合部５８ａと係合穴５５ａとの係合が解除される。したがって、ロックレバー５８にワイヤー等の引っ張る部材を取り付けることで、パチンコ台を開けることなくロックを解除することができる。
【００３５】
一方、図示してはいないが、ロックレバー５８の係合部５８ａが上を向いているロック機構もある。この場合は、ロックレバー５８を下方へ変位させることで、係合部５８ａと係合穴５５ａとの係合が解除される。したがって、この場合は、パチンコ台を開けてロックレバー５８を直接操作してロックを解除する。
【００３６】
以下、パチンコ台を開けずにロックを解除可能なパチンコ台間機Ｄｐをワイヤー式と称し、パチンコ台を開けてロックを解除するパチンコ台間機Ｄｐをレバー式と称する。
【００３７】
図３は、本実施の形態の保管庫１の外観を示す斜視図である。図３に示すように、保管庫１は、複数の台間機Ｄを収容する保管庫本体２と保管庫本体２の開口を覆う扉部３とを備える。
【００３８】
図４は、保管庫１の扉部３が解放された状態を示す斜視図である。図４に示すように、の庫内には、下部に、台間機Ｄに電源を供給する電源部４と台間機Ｄと管理装置１０１との通信を中継するＨＵＢ１８が配設されている。また、電源部４とＨＵＢ１８の上には、台間機Ｄが載置される載置面であり、載置された台間機の下部を固定する下部固定部である下部固定板５が設けられている。下部固定板５には、パチンコ台間機Ｄｐを固定位置（所定の位置）に案内し、正確に位置決めするための後述する位置決め用凹部５ａが形成されている。
【００３９】
また、保管庫本体２の庫内には、台間機Ｄの上部を固定する上部固定板２０を含む上部固定ユニット１７が配設されている。上部固定ユニット１７は、庫内上部から庫内の奥壁側を覆うもので、側方より見てＬ字型の形状を有する。
【００４０】
上部固定ユニット１７には、収容されたパチンコ台間機Ｄｐのロックを解除するロック解除機構である、後述するロック解除レバー（第１解除機構、ロック解除部材）６およびロック解除ワイヤー（第２解除機構、ロック解除部材）７が取り付けられる。そして、上部固定板２０の上方に、これらの各操作部６ａ，７ａが配設される。
【００４１】
本実施の形態の保管庫１において、ロック解除レバー６およびロック解除ワイヤー７は取り外し可能（着脱自在）に構成されている。保管庫１に収容すべき台間機Ｄの機種と台数が決まると、そのうちのロック解除機構が必要なパチンコ台間機Ｄｐにおけるそれぞれのロックの解除方法に合わせてロック解除レバー６あるいはロック解除ワイヤー７が、上部固定ユニット１７における必要な位置に取り付けられる。図４の例では、解除操作部６ａが１つ、解除操作部７ａが６つ配設されている。つまり、ワイヤー式のパチンコ台間機Ｄｐを６台、レバー式のパチンコ台間機Ｄｐを１台収容する仕様である。
【００４２】
上部固定ユニット１７における庫内の奥壁側には、台間機Ｄと管理装置１０１（図１参照）を接続する接続ケーブル１９が配設され、ロック解除レバー６の押下部６ｂ（図６参照）や、ロック解除ワイヤー７の接続部７ｂが位置している。
【００４３】
図５は、保管庫１における、台間機Ｄの収容例を示す斜視図である。図６は、図５に示した収容例における保管庫１の庫内の状態を、保管庫本体２の筐体や扉部３を除いて示す斜視図である。図５、図６の例では、向かって右側の端からメダル台間機Ｄｍが２台収容され、その横に、紙幣搬送タイプのパチンコ台間機Ｄｐ１および紙幣収納タイプの各パチンコ台間機Ｄｐ２が順に１台ずつ収容されている。また、左側の端には、レバー式のパチンコ台間機Ｄｐ３が収容されるようになっている。
【００４４】
図５、図６に示すように、メダル台間機Ｄｍは、パチンコ台間機Ｄｐ１、Ｄｐ２よりも幅（左右方向の寸法）が太く、奥行（前後方向の寸法）も長い。このようなメダル台間機Ｄｍは、図示してはいないがロック機構を正面側に備えている。そのため、上部固定ユニット１７におけるメダル台間機Ｄｍの収容位置に対応する位置には、ロック解除レバー６もロック解除ワイヤー７も設置されておらず、解除操作部６ａ，７ａの何れも配置されていない。
【００４５】
一方、パチンコ台間機Ｄｐ１、Ｄｐ２は何れもワイヤー式であるため、上部固定ユニット１７におけるこれらの収容位置に対応する位置にはそれぞれ、ロック解除ワイヤー７が取り付けられており、解除操作部７ａが配置されている。
【００４６】
向かって左側の端には、レバー式のパチンコ台間機Ｄｐ３が収容される。図６では、パチンコ台間機Ｄｐ３が装着されるホルダ部５０は設置されているが、パチンコ台間機Ｄｐ３は未装着である。上部固定ユニット１７におけるパチンコ台間機Ｄｐ３の収容位置に対応する位置には、ロック解除レバー６が取り付けられ、解除操作部６ａが配置されている。ホルダ部５０の背面には、押下部６ｂが位置している。
【００４７】
図７は、保管庫１における、ロック解除レバー６を用いたロック解除を説明する断面図である。（ａ）はロック解除レバー６を押し下げる前の状態、（ｂ）ロック解除レバー６を押し下げた後の状態を示す。（ａ）（ｂ）においては、破線で囲った部分の拡大図を併せて示す。
【００４８】
図７の（ａ）に示すように、レバー式のパチンコ台間機Ｄｐの場合、ロック機構５７のロックレバー５８の上方に、ロック解除レバー６の押下部６ｂが位置している。押下部６ｂは、解除操作部６ａの押し下げ操作に連動して下方に移動する。ロック状態においては、ロックレバー５８の係合部５８ａがパチンコ台間機Ｄｐの係合穴５５ａに係合している。この状態から、図７の（ｂ）に示すように、解除操作部６ａを押し下げると、押下部６ｂが降下し、ロックレバー５８を押し下げる。これにより、係合部５８ａと係合穴５５ａとの係合が解除され、パチンコ台間機Ｄｐのロックが解除される。
【００４９】
図８は、保管庫１における、ロック解除ワイヤー７を用いたロック解除を説明する断面図である。（ａ）はロック解除ワイヤー７を引っ張る前の状態、（ｂ）ロック解除ワイヤー７を引っ張った後の状態を示す。（ａ）（ｂ）においては、破線で囲った部分の拡大図を併せて示す。
【００５０】
図８の（ａ）に示すように、ワイヤー式のパチンコ台間機Ｄｐの場合、ロック機構５７のロックレバー５８に、ロック解除ワイヤー７の接続部７ｂが接続されている。ロック状態においては、ロックレバー５８の係合部５８ａがパチンコ台間機Ｄｐの係合穴５５ａに係合している。この状態から、図８の（ｂ）に示すように、解除操作部７ａを手前に引っ張ると、他端側の接続部７ｂが上昇し、ロックレバー５８を引き上げる。これにより、係合部５８ａと係合穴５５ａとの係合が解除され、パチンコ台間機Ｄｐのロックが解除される。
【００５１】
図９は、保管庫１の上部固定ユニット１７の構成を示す斜視図である。図９に示すように、上部固定ユニット１７は、上部固定板２０と上部フレーム板２１と後部フレーム板２２とを有している。上部固定板２０には、台間機Ｄを固定するための固定穴２０ａが形成されている。この固定穴２０ａに、台間機Ｄの上面に形成された突起が嵌合することで、台間機Ｄが上部固定板２０に固定される。パチンコ台間機Ｄｐの場合は、ホルダ部５０の上面に突起が形成されており、ホルダ部５０の上面が上部固定板２０に固定される。
【００５２】
上部フレーム板２１は、上部固定板２０の上方に間隔を開けて配置され、前面側の縁に、ワイヤー固定部３０が設けられている。ワイヤー固定部３０は、ロック解除ワイヤー７のワイヤーブラケット７ｃ（図１２参照）を取り付けるための部材である。ワイヤー固定部３０は、上部フレーム板２１の縁に沿って、最大収容数に相当する７台分設けられている。
【００５３】
後部フレーム板２２は、庫内の奥壁を覆うように配設され、中段にレバー固定ブラケット３６を固定するためのボス３５が設けられている。レバー固定ブラケット３６は、ロック解除レバー６を取り付けるための部材であり、ロック解除レバー６の支持体６ｃが取り付けられる。ワイヤー固定部３０と同様に、ボス３５も、水平方向に沿って最大収容数に相当する７台分設けられている。なお、図９の例では、向かって左側の端にロック解除レバー６が取り付けられ、その隣にロック解除ワイヤー７が２組取り付けられている。
【００５４】
図１０は、保管庫１における、上部固定ユニット１７へのロック解除レバー６の取り付けを示す分解斜視図である。ロック解除レバー６は、逆さ「Ｌ字」形状をなし、Ｌ字の短手の辺を上部フレーム板２１の裏面に沿わせ、長手の辺を後部フレーム板２２に沿わせて配設される。ロック解除レバー６を取り付けるにあたり、先ずは、後部フレーム板２２における対応する位置のボス３５にレバー固定ブラケット（固定用部品）３６を取り付ける。そして、取り付けたレバー固定ブラケット３６に、ロック解除レバー６の長手の辺にある支持体６ｃを取り付ける。ロック解除レバー６において、端部に押下部６ｂを有するレバー本体部は、支持体６ｃに対して上下方向に摺動自在である。ロック解除レバー６の摺動位置は、解除の対象のレバー式のパチンコ台間機Ｄｐにおけるロックレバー５８の上下移動に合うように調整される。
【００５５】
図１１は、保管庫１における、上部固定ユニット１７へのロック解除ワイヤー７の取り付けを示す分解斜視図である。図１２は、保管庫１における、上部固定ユニット１７に取り付けられたロック解除ワイヤー７の要部を示す斜視図であり、破線で囲った部分の拡大図を併せて示す。
【００５６】
図１１に示すように、ロック解除ワイヤー７におけるワイヤー本体７ｄは、「了の字」形状に湾曲されており、湾曲部の上辺を上部フレーム板２１の裏面に沿わせて配設される。湾曲部の下辺から垂下する直線部の先端部の接続部７ｂに、ワイヤー式のパチンコ台間機Ｄｐのロックレバー５８が接続される。ロック解除ワイヤー７における解除操作部７ａ側にはワイヤーブラケット７ｃが設けられている。ワイヤー本体７ｄのワイヤーブラケット７ｃより引き出されて先端部は輪状に形成されており、これが解除操作部７ａに相当する。
【００５７】
図１２に示すように、接続部７ｂをパチンコ台間機Ｄｐ側のロックレバー５８に接続した後、ワイヤーブラケット７ｃを対応する位置のワイヤー固定部（固定用部品）３０にビス３１等で固定する。ロック解除ワイヤー７は、湾曲部を有して庫内奥側にて撓んでいるため、この撓みにて、機種により異なるロックレバー５８の高さ位置の違いを吸収することができる。
【００５８】
このように、ロック解除レバー６およびロック解除ワイヤー７を着脱自在に構成することで、収容する台間機Ｄの構成と台数に応じて、ロック解除レバー６およびロック解除ワイヤー７を適宜組み付けることが可能となり、各遊技場における台間機Ｄの構成や設置台数比率の違いおよびこれらの変化に簡単に対応させることができる。
【００５９】
特に、ロックレバー５８を変位させるロック解除部材であるロック解除レバー６を保管庫本体２の内部に取り付けるための固定用部品であるレバー固定ブラケット３６を保管庫本体２に対して着脱自在としている。このように、ロック解除レバー６だけでなく、これを固定するためのレバー固定ブラケット３６までも取り外せる構成とすることで、レバー固定ブラケット３６と収容される台間機Ｄとの干渉をも避けることができ、庫内をより一層有効に利用することができる。
【００６０】
なお、ロック解除ワイヤー７を保管庫本体２の内部に取り付けるための固定用部品が台間機Ｄと干渉する位置に設けられる場合は、当該固定用部品も着脱自在とすることで、同様の効果を得ることができる。
【００６１】
図１３は、保管庫１の下部固定板５の構成を示す斜視図である。図１４は、図１３に示す下部固定板の平面図である。図１４において、２点鎖線は、メダル台間機Ｄｍの設置領域を示している。図１３、図１４に示すように、下部固定板５には、台間機Ｄを固定するための多数の固定穴５ｃが形成されている。固定穴５ｃに、台間機Ｄの底面に形成された突起を嵌合させることで、台間機Ｄが下部固定板５に固定される。パチンコ台間機Ｄｐの場合は、ホルダ部５０の底面に突起が形成されており、ホルダ部５０が下部固定板５に固定される。
【００６２】
下部固定板５には、さらに、位置決め用凹部５ａと、位置決め用突起部５ｂ−１、５ｂ−２が形成されている。
【００６３】
位置決め用凹部５ａは、パチンコ台間機Ｄｐを固定位置（所定の位置）に案内し、正確に位置決めするための凹部である。位置決め用凹部５ａは、下部固定板５における台間機Ｄの載置面に、ホルダ部５５に装着された状態のパチンコ台間機Ｄｐの底面の外形形状に合わされて形成されている。位置決め用凹部５ａ、最大収容数に相当する７台分設けられている。
【００６４】
パチンコ台間機Ｄｐを庫内に位置決めする際、パチンコ台間機Ｄｐをホルダ部５５に装着した状態で位置決め用凹部５ａに嵌め込み、ホルダ部５５の背面が位置決め用凹部５ａの後端に確実に当たるまで押し込む。これにより、パチンコ台間機Ｄｐが装着されるホルダ部５５を固定位置に確実に案内して設置することができる。
【００６５】
パチンコ台間機Ｄｐの幅は、機種が異なっても略同じに設計されているため、パチンコ台間機Ｄｐであれば、機種に関わらず位置決め用凹部５ａを利用できる。位置決め用凹部５ａの深さは、位置決め用凹部５ａ内に設置されたホルダ部５０に対するパチンコ台間機Ｄｐの抜き差しが阻害されないように、ホルダ部５０の下側ガイド枠５３（図２参照）の底部の肉厚未満に設定されている。
【００６６】
ロック解除レバー６を用いてパチンコ台間機Ｄｐのロックの解除を行うには、ロック解除レバー６の押下部６ｂの下方にパチンコ台間機Ｄｐのロックレバー５８を確実に位置させる必要がある。しかしながら、上述したように、下部固定板５には多種の台間機Ｄを固定のため多数の固定穴５ｃが形成されているため、パチンコ台間機Ｄｐの固定位置を誤る恐れがある。固定位置を誤ると、ロックを解除できなくなる。これに対し、上記構成のように、位置決め用凹部５ａを設けて、凹当接でパチンコ台間機Ｄｐを固定位置まで案内することで、前後方向および左右方向においてずれなく正確に固定位置に固定することが可能となる。
【００６７】
位置決め用突起部５ｂ−１、５ｂ−２は、メダル台間機Ｄｍを固定位置に正確に位置決めするための突起部（位置決め部）である。位置決め用突起部５ｂ−１は、メダル台間機Ｄｍの背面側の下部と突き当たることで、メダル台間機Ｄｍの前後方向の位置を決定する。位置決め用突起部５ｂ−２は、メダル台間機Ｄｍの背面側の下部側面と突き当たることで、メダル台間機Ｄｍの左右方向の位置を決定する。このような位置決め用突起部５ｂ−１、５ｂ−２は、メダル台間機Ｄｍの最大収容数に相当する３台分設けられている。
【００６８】
メダル台間機Ｄｍを収容する際、メダル台間機Ｄｍの向かって右奥の角が、位置決め用突起部５ｂ−１、５ｂ−２に確実に当たるように案内して設置することで、メダル台間機Ｄｍを固定位置に確実に案内して設置することができる。
【００６９】
パチンコ台間機Ｄｐの位置決めには、凹当接の位置決め用凹部５ａを設けているので、位置決め用凹部５ａがメダル台間機Ｄｍを設置する際にメダル台間機Ｄｍの底部と干渉することがない。また、メダル台間機Ｄｍの位置決めには、角当接の位置決め用突起部５ｂ−１、５ｂ−２を位置決め用凹部５ａより背面側に設けているので、位置決め用突起部５ｂ−１、５ｂ−２が、パチンコ台間機Ｄｐを設置する際にパチンコ台間機Ｄｍの底部と干渉することもない。
【００７０】
図１５は、下部固定板５の分解斜視図である。図１５に示すように、本実施の形態の保管庫１においては、下部固定板５が、固定板本体１３と該固定板本体１３上に積層して配設される位置決め板１４とを備える２部品より構成されている。位置決め板１４に位置決め用凹部５ａに相当する開口が形成されている。位置決め用突起部５ｂ−１は、固定板本体１３に曲げ起こしを設けて構成し、位置決め用突起部５ｂ−２は、位置決め板１４に曲げ起こしを設けて構成している。
【００７１】
このように２部品構成とすることで、位置決め用突起部５ｂ−１，５ｂ−２を、曲げ起こしを設けて構成しても、庫内の下部の電源部４が設置されている空間と台間機Ｄが収容される空間とを繋ぐ穴部を塞ぐことができる。これにより、１部品で下部固定板５を構成した場合よりも安全性を高めることができる。
【００７２】
図１６は、保管庫１の扉部３の構成を示す斜視図である。保管庫１の扉部３には、保管庫本体２に収容されている全ての台間機Ｄの視認を可能にする窓部１６が形成されている。これにより、多種の台間機Ｄを収容し、かつプリペイドシステム１００における予備用の台間機Ｄとして正常に動作しているかどうかを、扉部３を開けることなく外部から容易に確認することができる。
【００７３】
以上のように、本実施の形態の保管庫１は、パチンコ台間機Ｄｐのロックを解除するロック解除機構として、パチンコ台を開けてロックを解除するレバー式のパチンコ台間機Ｄｐに対応した、ロックレバー５８を下方に変位させてロックを解除するロック解除レバー６と、パチンコ台を開けることなくロックを解除できるワイヤー式のパチンコ台間機Ｄｐに対応した、ロックレバー５８を上方に変位させてロックを解除するロック解除ワイヤー７の両方を備えている。
【００７４】
これにより、パチンコ台を開けてロックを解除するパチンコ台間機Ｄｐとパチンコ台を開けずにロックを解除できるパチンコ台間機Ｄｐとの両方を混在して１台の保管庫１内に収容することができる。
【００７５】
これにより、ロックの解除方法が異なる台間機Ｄを一部に設置した遊技場においても、２通りのロック解除方法に合わせて２台の保管庫を設置する必要がなくなり、設置場所の制約を解消することができる。
【００７６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００７７】
１  保管庫
２  保管庫本体
３  扉部
４  電源部
５  下部固定板
５ａ  位置決め用凹部
５ｂ−１位置決め用突起部
５ｂ−２  位置決め用突起部
６  ロック解除レバー（第１解除機構、ロック解除部材）
６ｂ  押下部
６ｃ  支持体
７  ロック解除ワイヤー（第２解除機構、ロック解除部材）
７ｂ  接続部
７ｃ  ワイヤーブラケット
７ｄ  ワイヤー本体
１３  固定板本体
１４  位置決め板
１６  窓部
１７  上部固定ユニット
１８  ＨＵＢ
１９  接続ケーブル
２０  上部固定板
２１  上部フレーム板
２２  後部フレーム板
３０  ワイヤー固定部
３１  ビス
３５  ボス
３６  レバー固定ブラケット（固定用部品）
５０  ホルダ部
５１  縦フレーム
５２  上側ガイド枠
５３  下側ガイド枠
５５  本体部
５５ａ  係合穴
５７  ロック機構
５８  ロックレバー（ロック部）
５８ａ  係合部
１００  プリペイドシステム
１０１  管理装置
１０３  精算販売機
Ｄ  台間機
Ｄｍ  メダル台間機（パチスロ台間機）
Ｄｐ  パチンコ台間機
【図１】
2018130338.tif 000003
【図２】
2018130338.tif 000004
【図３】
2018130338.tif 000005
【図４】
2018130338.tif 000006
【図５】
2018130338.tif 000007
【図６】
2018130338.tif 000008
【図７】
2018130338.tif 000009
【図８】
2018130338.tif 000010
【図９】
2018130338.tif 000011
【図１０】
2018130338.tif 000012
【図１１】
2018130338.tif 000013
【図１２】
2018130338.tif 000014
【図１３】
2018130338.tif 000015
【図１４】
2018130338.tif 000016
【図１５】
2018130338.tif 000017
【図１６】
2018130338.tif 000018